(57)【要約】【課題】  ２つの紙幣収納部と２つの硬貨収納部とを備えた財布であって、札入れ部の２つの紙幣収納部に紙幣を仕分けて挿入するとともに硬貨を仕分けて投入するだけで、２つの硬貨収納部に硬貨を仕分けて収納することができる財布を提供する。【解決手段】  上部にファスナ２４付きの開口２２を有する札入れ部１０の下部に連接して左右に２つの硬貨収納部１２、１４を設け、札入れ部１０の内部を仕切りシート２６で前後に仕切って２つの紙幣収納部２８、３０を形成する。一方の紙幣収納部２８の内底部の一部を逢着せずに、その紙幣収納部と一方の硬貨収納部１２とを連通させて硬貨の通過を許容する連通孔を形成し、他方の紙幣収納部３０の内底部の一部を逢着せずに、その紙幣収納部と他方の硬貨収納部１４とを連通させて硬貨の通過を許容する連通孔を形成し、硬貨収納部１２、１４にファスナ３６、３８付きの硬貨取出し口３２、３４を設けた。【選択図】  図１
2006340883.tif 000002
【特許請求の範囲】
【請求項１】
シート材を縫製して札入れ部および硬貨収納部を形成した財布において、
上部に開閉可能な開口を有する札入れ部の下部に連接して左右に２つの硬貨収納部を設け、前記札入れ部の内部をシート材で前後に仕切って２つの紙幣収納部を形成し、一方の紙幣収納部の内底部の一部を逢着せずに、その一方の紙幣収納部と前記一方の硬貨収納部とを連通させて硬貨の通過を許容する連通孔を形成するとともに、他方の紙幣収納部の内底部の一部を逢着せずに、その他方の紙幣収納部と前記他方の硬貨収納部とを連通させて硬貨の通過を許容する連通孔を形成し、前記各硬貨収納部に開閉可能な硬貨取出し口をそれぞれ設けたことを特徴とする財布。
【請求項２】
それぞれ同一構成の前記札入れ部および前記硬貨収納部が、表・裏両面にそれぞれ設けられた請求項１に記載の財布。
【請求項３】
前記札入れ部の各紙幣収納部および前記各硬貨収納部に、それぞれに収納される貨幣を識別するための標示部がそれぞれ設けられた請求項１または請求項２に記載の財布。
【請求項４】
前記標示部が、透明フィルム材で形成され貨幣の種別を表す紙片を取り替え可能に挿入する紙片入れである請求項３に記載の財布。
【発明の詳細な説明】
【技術分野】
【０００１】
この発明は、複数種類の紙幣および硬貨を仕分けて収納することができる財布に関する。
【背景技術】
【０００２】
財布本体に複数の区分け収納部を有し、それぞれの区分け収納部に異なる種類の硬貨（例えば一円玉、十円玉、百円玉など）を仕分けて収納することができるようにし、また、財布本体を構成する外装シート材と内装シート材との間を利用するなどして紙幣の札入れ部を形成した財布が市販され一般に使用されている。この種の財布は、紙幣や硬貨を種類ごとに分けて収納することにより、複数種類の紙幣や硬貨を組み合わせて支払いする際に、紙幣や硬貨の取り出しを少しでも手際良く行えるように工夫したものである（例えば、特許文献１参照。）。
【特許文献１】特開２００２−３３０８１１号公報（第６−７頁、第１−６図）
【発明の開示】
【発明が解決しようとする課題】
【０００３】
紙幣や硬貨を種類ごとに分けて収納することができる従来の財布は、複数種類の紙幣や硬貨を取り出すときには便利なものであるが、お釣りを紙幣と硬貨で受け取ったような場合には、紙幣を札入れ部に、硬貨を小銭入れ部に、それぞれ別に分けて収容しなければならず、多少の煩わしさを感じることがある。
【０００４】
この発明は、以上のような事情に鑑みてなされたものであり、２つの紙幣収納部と２つの硬貨収納部とを備えた財布であって、札入れ部に形成された２つの紙幣収納部に紙幣を仕分けて挿入するとともに硬貨を仕分けて投入するだけで、２つの硬貨収納部に硬貨を仕分けて収納することができる財布を提供することを目的とする。
【課題を解決するための手段】
【０００５】
請求項１に係る発明は、シート材を縫製して札入れ部および硬貨収納部を形成した財布において、上部に開閉可能な開口を有する札入れ部の下部に連接して左右に２つの硬貨収納部を設け、前記札入れ部の内部をシート材で前後に仕切って２つの紙幣収納部を形成し、一方の紙幣収納部の内底部の一部を逢着せずに、その一方の紙幣収納部と前記一方の硬貨収納部とを連通させて硬貨の通過を許容する連通孔を形成するとともに、他方の紙幣収納部の内底部の一部を逢着せずに、その他方の紙幣収納部と前記他方の硬貨収納部とを連通させて硬貨の通過を許容する連通孔を形成し、前記各硬貨収納部に開閉可能な硬貨取出し口をそれぞれ設けたことを特徴とする。
【０００６】
請求項２に係る発明は、請求項１に記載の財布において、それぞれ同一構成の前記札入れ部および前記硬貨収納部を、表・裏両面にそれぞれ設けたことを特徴とする。
【０００７】
請求項３に係る発明は、請求項１または請求項２に記載の財布において、前記札入れ部の各紙幣収納部および前記各硬貨収納部に、それぞれに収納される貨幣を識別するための標示部をそれぞれ設けたことを特徴とする。
【０００８】
請求項４に係る発明は、請求項３に記載の財布において、前記標示部が、透明フィルム材で形成され貨幣の種別を表す紙片を取り替え可能に挿入する紙片入れであることを特徴とする。
【発明の効果】
【０００９】
請求項１に係る発明の財布においては、札入れ部の２つの紙幣収納部へ硬貨を仕分けて投入した後に、財布を軽く揺すったり振ったりすると、一方の紙幣収納部へ投入された硬貨は、その紙幣収納部の内底部から連通孔を通って一方の硬貨収納部内へ落下して収容され、また、他方の紙幣収納部へ投入された硬貨は、その紙幣収納部の内底部から連通孔を通って他方の硬貨収納部内へ落下して収容される。
したがって、請求項１に係る発明の財布を使用すると、札入れ部に形成された２つの紙幣収納部に硬貨を仕分けて投入するだけで、２つの硬貨収納部に硬貨を仕分けて収納することができ、紙幣と硬貨とを分けて別の収納部に収容する煩わしさが軽減される。
【００１０】
請求項２に係る発明の財布では、その表・裏両面に同一構成の札入れ部および硬貨収納部が設けられているので、紙幣を４つの紙幣収納部に仕分けて収納するとともに、硬貨を４つの硬貨収納部に仕分けて収納することが可能である。
【００１１】
請求項３に係る発明の財布では、標示部により、各紙幣収納部および各硬貨収納部にそれぞれ収納される貨幣の種類を識別することができる。例えば、標示部に国名や国旗を標示しておくようにしたときは、１つの財布に国ごとの貨幣を仕分けて収納することが可能となる。
【００１２】
請求項４に係る発明の財布では、紙片入れに挿入される紙片を取り替えることにより、各紙幣収納部および各硬貨収納部にそれぞれ収納される貨幣の種類を変えることができる。例えば、国名や国旗が表示された紙片を別の国名や国旗が表示された紙片と取り替えて紙片入れに挿入することにより、１つの財布に複数の適宜の国の貨幣を仕分けて収納することが可能となる。
【発明を実施するための最良の形態】
【００１３】
以下、この発明の最良の実施形態について図面を参照しながら説明する。
図１ないし図７は、この発明の１実施形態を示し、図１は、財布の斜視図であり、図２は、財布の札入れ部上部を開口させた状態を真上から見た図である。図３は、財布を表側から見た図であり、図４は、財布を裏側から見た図であり、図５は、図３のＶ−Ｖ矢視断面図である。また、図６および図７は、それぞれ財布の使用状態を説明するための図である。
【００１４】
この財布は、合成樹脂、布帛、和紙、合成皮革、鞣し革などの複数枚のシート材を縫い合わせて製作され、表側に札入れ部１０と右・左の２つの硬貨収納部１２、１４とを具備するとともに、裏側にも札入れ部１６と右・左の２つの硬貨収納部１８、２０とを具備している。表側の札入れ部１０および硬貨収納部１２、１４と裏側の札入れ部１６および硬貨収納部１８、２０とは、図３および図４に示すように上下方向が逆になっているが、表側の札入れ部１０および硬貨収納部１２、１４と裏側の札入れ部１６および硬貨収納部１８、２０とは、それぞれ同一構成であるので、以下では、表側の札入れ部１０および硬貨収納部１２、１４の構成について説明する。
【００１５】
財布の上辺部には、札入れ部１０の紙幣挿入・取出し用の開口２２が形設されており、開口２２は、ファスナ２４によって開閉される。札入れ部１０の内部は、仕切りシート２６により前後に仕切られて、２つの紙幣収納部２８、３０が形成されている。仕切りシート２６の下端辺部は縫着されており、一方（手前）の紙幣収納部２８と他方（奥）の紙幣収納部３０とは、互いに連通していない。札入れ部１０の下部に連接して設けられた硬貨収納部１２、１４は、財布の中央よりやや下方寄りに硬貨取出し口３２、３４を有しており、硬貨取出し口３２、３４は、ファスナ３６、３８によって開閉される。
【００１６】
札入れ部１０の手前の紙幣収納部２８の内底部は、その一部が逢着されておらず、その紙幣収納部２８の内底部に穴があいた状態となっている。そして、その穴が、手前の紙幣収納部２８と一方（右側）の硬貨収納部１２とを連通させる連通孔４０となっている。また、奥の紙幣収納部３０の内底部も、その一部が逢着されておらず、その紙幣収納部３０の内底部に穴があいた状態となっている。そして、その穴が、奥の紙幣収納部３０と他方（左側）の硬貨収納部１４とを連通させる連通孔４２となっている。各連通孔４０、４２は、それぞれ硬貨の通過を許容する程度の大きさに形成されている。また、各連通孔４０、４２から各硬貨収納部１２、１４へ垂下するように、２枚重ねの布片４４、４６がそれぞれ縫着されており、この２枚の布片４４、４４；４６、４６間を通って紙幣収納部２８、３０の内底部から硬貨収納部１２、１４内へ硬貨が滑り落ちるようになっている。また、この布片４４、４６が設けられていることにより、硬貨収納部１２、１４内から紙幣収納部２８、３０内へ硬貨が逆に流動することが防止される。すなわち、硬貨が硬貨収納部１２、１４内から紙幣収納部２８、３０内へ戻るには、硬貨は２枚の布片４４、４４；４６、４６間を通らなければならないが、２枚重ねの布片４４、４４；４６、４６間へ硬貨が進入することはほとんど起こらない。
【００１７】
この財布に紙幣と硬貨を入れるときは、札入れ部１０の２つの紙幣収納部２８、３０へ紙幣を仕分けて挿入するとともに、２つの紙幣収納部２８、３０へ硬貨を仕分けて投入する。その後に、図６に示すように、左手で財布の左上部を掴んで財布を軽く揺すったり振ったりする。これにより、手前の紙幣収納部２８へ投入された硬貨５６ａは、その紙幣収納部２８の内底部から連通孔４０を通って右側の硬貨収納部１２内へ落下して収容される。また、図７に示すように、右手で財布の右上部を掴んで財布を軽く揺すったり振ったりする。これにより、奥の紙幣収納部３０へ投入された硬貨５６ｂは、その紙幣収納部３０の内底部から連通孔４２を通って左側の硬貨収納部１４内へ落下して収容される。このように、この財布を使用すると、札入れ部１０の２つの紙幣収納部２８、３０に硬貨を仕分けて投入するだけで、２つの硬貨収納部１２、１４に硬貨を仕分けて収納することができる。
【００１８】
また、札入れ部１０の２つの紙幣収納部２８、３０および２つの硬貨収納部１２、１４には、透明フィルム材で形成された紙片入れ４８、５０、５２、５４がそれぞれ設けられている。それらの紙片入れ４８、５０、５２、５４には、紙幣や硬貨の種別を表す紙片が取り替え可能に挿入される。例えば、手前の紙幣収納部２８および右側の硬貨収納部１２の各紙片入れ４８、５２に同じ国名や国旗が表示された紙片を入れ、奥の紙幣収納部３０および左側の硬貨収納部１４の各紙片入れ５０、５４に前記とは異なる国の同じ国名や国旗が表示された紙片を入れるようにする。また、裏側の札入れ部１６の紙幣収納部および硬貨収納部１８、２０の紙片入れにも、別の２つの国の国名や国旗が表示された紙片を入れるようにすることにより、１つの財布に４ヶ国の通貨を仕分けて収納することができる。また、別の国名や国旗が表示された紙片と取り替えて紙片入れ４８、５０、５２、５４に紙片を挿入することにより、１つの財布に複数の適宜の国の貨幣を仕分けて収納することが可能となる。
【００１９】
なお、上記した実施形態では、札入れ部１０の内部を１枚の仕切りシート２６で仕切って２つの紙幣収納部２８、３０を形成したが、各紙幣収納部２８、３０をさらに仕切りシートで仕切るようにしてもよい。また、各紙幣収納部２８、３０や各硬貨収納部１２、１４にそれぞれ収納される貨幣を識別するための標示部は、上記実施形態で示したような紙片入れに限らず、例えば、面状ファスナによって着脱自在に接着するワッペンであってもよい。
【図面の簡単な説明】
【００２０】
【図１】この発明の１実施形態を示す財布の斜視図である。
【図２】図１に示した財布の札入れ部上部を開口させた状態を真上から見た図である。
【図３】図１に示した財布を表側から見た図である。
【図４】図１に示した財布を裏側から見た図である。
【図５】図３のＶ−Ｖ矢視断面図である。
【図６】図１に示した財布の使用状態を説明するための図である。
【図７】同じく、図１に示した財布の使用状態を説明するための図である。
【符号の説明】
【００２１】
１０、１６  札入れ部
１２、１４、１８、２０  硬貨収納部
２２  札入れ部の開口
２４、３６、３８  ファスナ
２６  仕切りシート
２８、３０  紙幣収納部
３２、３４  硬貨取出し口
４０、４２  連通孔
４４、４６  布片
４８、５０、５２、５４  紙片入れ
５６ａ、５６ｂ  硬貨
【図１】
2006340883.tif 000003
【図２】
2006340883.tif 000004
【図３】
2006340883.tif 000005
【図４】
2006340883.tif 000006
【図５】
2006340883.tif 000007
【図６】
2006340883.tif 000008
【図７】
2006340883.tif 000009